(57)【要約】【課題】薬剤を使用した害虫の駆除方法において、使用する薬剤の量を少なくし、害虫に逃げられることなく確実に駆除することができ、また、害虫を発見してから処分するまでのプロセスを迅速に行う。【解決手段】害虫が存在する場所の周囲に被せることにより該害虫を捕獲空間の中に閉じ込めた状態において、薬剤を該捕獲空間の中に注入することにより該害虫を殺すためのカップ状殺虫器であって、  容器本体２の少なくとも一部は透明な素材で構成されていることにより、該捕獲空間の中の該害虫の様子が外部から観察可能であり、  該容器本体の側面部２１に面積１０ｍｍ２以上２００ｍｍ２以下の薬剤注入孔２３を有することを特徴とするカップ状殺虫器１によって上記課題を解決した。【選択図】図３
2017023034.tif 000002
【特許請求の範囲】
【請求項１】
害虫が存在する場所の周囲に被せることにより該害虫を捕獲空間の中に閉じ込めた状態において、薬剤を該捕獲空間の中に注入することにより該害虫を殺すためのカップ状殺虫器であって、
容器本体の少なくとも一部は透明な素材で構成されていることにより、該捕獲空間の中の該害虫の様子が外部から観察可能であり、
該容器本体の側面部に面積１０ｍｍ２以上２００ｍｍ２以下の薬剤注入孔を有することを特徴とするカップ状殺虫器。
【請求項２】
上記容器本体の側面部に面積１０ｍｍ２以上２００ｍｍ２以下の薬剤注入孔を複数有する請求項１に記載のカップ状殺虫器。
【請求項３】
更に、上記容器本体に封止可能な薬剤注入部を有する請求項１又は請求項２に記載のカップ状殺虫器。
【請求項４】
上記薬剤注入部は、ネジ式キャップにより封止されるものである請求項３に記載のカップ状殺虫器。
【請求項５】
上記薬剤注入部には、多孔板状又はメッシュ状の脱出防止部材が備えられている、請求項３又は請求項４に記載のカップ状殺虫器。
【請求項６】
上記容器本体は、不透明な被覆部材で被覆されている請求項１ないし請求項５の何れかの請求項に記載のカップ状殺虫器。
【請求項７】
上記容器本体の開口部の縁に、弾性部材を備える請求項１ないし請求項６の何れかの請求項に記載のカップ状殺虫器。
【請求項８】
上記容器本体は、略円錐形状である請求項１ないし請求項７の何れかの請求項に記載のカップ状殺虫器。
【請求項９】
上記容器本体に把手を接続するための接続手段を備える請求項１ないし請求項８の何れかの請求項に記載のカップ状殺虫器。
【請求項１０】
上記害虫はゴキブリである請求項１ないし請求項９の何れかの請求項に記載のカップ状殺虫器。
【発明の詳細な説明】
【技術分野】
【０００１】
本発明は、ゴキブリ等の害虫を捕獲空間（開口部を有する容器と、床や壁等とによりほぼ閉じられた空間）の中に閉じ込め、薬剤で殺すためのカップ状殺虫器に関し、更に詳しくは、形状を特定のものとすることにより、害虫の駆除を容易かつ効率的に行うことのできるカップ状殺虫器に関する。
【背景技術】
【０００２】
ゴキブリ等の害虫は、家屋等によく現れ、不衛生であるだけでなく、見た目の悪さも相俟って、人を不快な気分にさせる。
【０００３】
害虫を駆除する方法として、粘着シートを使用して捕える方法、化学燻蒸で締め切った室内を燻す方法、毒餌を設置する方法等があり、これらの方法は、長期的に見て潜在的に家屋等に存在する害虫の数を減らすことのできる根本的な駆除方法ではあるが、即効性のある方法ではない。
【０００４】
害虫は見た目が醜悪なため、害虫を発見した人は、一刻も早い駆除を望む場合が多い。特に、いったん害虫の姿を見てしまった後に、その害虫の姿を見失ってしまった場合、家屋等のどこかに害虫がいるという状態に不安を感じることになり、見失った害虫を探し出すために多くの労力を費やし、結果的に見つからずに不安を感じ続ける場合も多い。
【０００５】
このため、害虫の駆除には、上記のような根本的な駆除方法だけでなく、害虫を発見した場合に、害虫を即座に殺して排除することのできる、即効性のある駆除方法が望まれる場合が多い。
即効性のある害虫の駆除方法としては、害虫を潰して殺す、掃除機等で吸い込む、殺虫剤等の薬剤を害虫にかけて殺す、等の方法が知られている。
【０００６】
害虫を潰して殺す方法は、潰した害虫の体液等により、床や壁等や、潰すために使用した道具が汚染される場合が多く、また、このような方法を行うことに抵抗を感じる人が多いといった問題がある。
掃除機等で害虫を吸い込む方法は、害虫が粉々になるため、機器の故障の原因となり、また、粉々になった害虫の姿を見るのを不快に感じる人もいる。また、掃除機の音が原因で害虫に逃げられる、といった問題が生じる場合もある。
【０００７】
殺虫剤等の薬剤を使用した方法は、害虫が潰れるようなことはなく、比較的抵抗なく行うことができる。
しかし、害虫の動きは素早い場合が多く、うまく薬剤をかけるのはかなり難しい。首尾よく薬剤をかけられたとしても薬剤の効果が十分に現れないまま害虫は逃げてしまい、死骸が見つからない場合もある。
また、害虫は予期せず突然出現するのが通常であり、気が動転して、過剰量の薬剤を使用してしまう場合が多い。このため、害虫を殺し、死骸を回収することができたとしても無駄に使用される薬剤の量が多くなる傾向がある。
【０００８】
無駄な薬剤の飛散は、不経済なだけでなく、害虫を殺した後の床や壁等の清掃の手間がかかる、といった問題を生じる。特に、ペットや子供のいる家庭では、薬剤の清掃を入念に行わないと、健康被害の懸念が生じる。
【０００９】
薬剤を使用した害虫の駆除方法において、薬剤の使用量を少なくすることのできる方法の開発が望まれている。
特許文献１には、殺虫剤の噴霧気をかけて弱った状態で這い回るゴキブリに透明のカップ状の容器を被せることでゴキブリを捕らえ、外からゴキブリが弱ったのを確認してから、ゴキブリを捨てる方法が記載されている。
この方法は、カップ状容器を被せる前に害虫に薬剤をうまくかけることができれば、カップ状容器の中で害虫は自然と弱っていき、弱った害虫を潰さずに捨てることができる。
しかし、カップ状容器を被せる前に害虫に薬剤をうまくかけられなかった場合、害虫は容器と床の間の空間に閉じ込められているものの、なかなか弱ることがなく、結局、カップ状容器を外して再び薬剤を害虫にかける必要が生じ、この際に害虫に逃げられてしまう可能性があるし、何度も失敗した場合、結局薬剤の量を抑えられず、薬剤は至る所に飛散することになってしまう。
このため、薬剤を使用した即効性のある害虫の駆除方法には、更なる改善の余地があった。
【先行技術文献】
【特許文献】
【００１０】
【特許文献１】実開昭５９−００８５８２号公報
【発明の概要】
【発明が解決しようとする課題】
【００１１】
本発明は上記背景技術に鑑みてなされたものであり、その課題は、薬剤を使用した害虫の駆除方法において、使用する薬剤の量を少なくし、害虫に逃げられることなく確実に駆除することができ、また、害虫を発見してから処分するまでのプロセスを迅速に行うことのできる害虫駆除方法に使用するための器具を提供することにある。
【課題を解決するための手段】
【００１２】
本発明者は、上記の課題を解決すべく鋭意検討を重ねた結果、透明なカップ状殺虫器の側面部に薬剤を注入するための孔を設置することにより、薬剤をかける前に害虫を捕獲空間に閉じ込めた上で、該孔から薬剤を注入することにより、少ない量の薬剤で確実に害虫を殺すことができ、また、迅速に害虫駆除を行うことができることを見出し、本発明を完成するに至った。
【００１３】
また、本発明者は、カップ状殺虫器を特定の形状にすることにより、より害虫を捕獲しやすくなり、捕獲空間内部に薬剤の有効成分を十分に行き渡らせることが可能となり、薬剤の使用量をより少なくすることができることや、カップ状殺虫器における薬剤注入部分の位置等を規定することにより、害虫発見から処分までの一連のステップをより迅速に行うことができることを見出し、本発明を完成するに至った。
【００１４】
すなわち、本発明は、害虫が存在する場所の周囲に被せることにより該害虫を捕獲空間の中に閉じ込めた状態において、薬剤を該捕獲空間の中に注入することにより該害虫を殺すためのカップ状殺虫器であって、
容器本体の少なくとも一部は透明な素材で構成されていることにより、該捕獲空間の中の該害虫の様子が外部から観察可能であり、
該容器本体の側面部に面積１０ｍｍ２以上２００ｍｍ２以下の薬剤注入孔を有することを特徴とするカップ状殺虫器を提供するものである。
【発明の効果】
【００１５】
本発明のカップ状殺虫器を使用して害虫を駆除する場合、薬剤を使用するので、害虫を殺した際に害虫の体液等により床や壁等が汚染されることがない。
【００１６】
本発明では、特許文献１に記載のカップ状容器とは異なり、害虫をまず捕獲空間に閉じ込めてから、容器の孔から薬剤を注入する。このため、焦らずにゆっくりと薬剤を使用できるので、気が動転して、過剰量の薬剤を使用してしまうようなことが無い。
【００１７】
本発明では、薬剤のほとんどは、捕獲空間の内部に飛散する。このため、捕獲空間の内部において、薬剤の有効成分の濃度が高くなり、少ない量の薬剤で害虫を殺すことができ、また、害虫の駆除が完了したあとの床や壁等の清掃の手間を少なくすることができる。仮に、薬剤の量が少ない場合でも、カップ状容器を外すことなく薬剤を追加注入することで、害虫に逃げられる心配はなく、確実に害虫の死骸を回収し、処分することができる。
【００１８】
本発明のカップ状殺虫器は、容器本体の少なくとも一部が透明な素材で構成されているので、薬剤注入後の害虫の様子を、外部から観察することができ、このため、害虫が死んだ（動かなくなった）ことを確認しやすく、害虫発見、捕獲、薬剤注入、害虫の処分、という一連のステップに要する時間を短縮することができ、一刻も早く害虫を家屋等から排除したい場合に有効である。
【００１９】
特に、本発明のカップ状殺虫器を特定の形状とすることにより、害虫をより捕獲しやすくできるので、また、捕獲空間内に薬剤の有効成分を十分に行き渡らせることができるので、上記効果（薬剤使用量の低減や駆除時間の短縮）をより顕著にすることができ、作業に慣れていない者でも、容易に害虫の駆除作業を行うことができる。
【００２０】
また、害虫は予期せず突然出現するものであり、駆除に入念な準備をすることはできない。薬剤を注入する部分の位置を様々に規定しておくことにより、本発明のカップ状殺虫器では、様々な状況下において薬剤の注入がしやすくなり、突然害虫を発見して気が動転したような場合であっても、迅速に駆除作業を進めることができる。
【００２１】
カップ状殺虫器は、突然現れた害虫を咄嗟に捕獲するための物品であるため、丁寧に取り扱われることはなく、使用の際に衝撃を受けやすいため、破損・変形しやすい。本発明のカップ状容器において、開口部の縁に衝撃を吸収するための弾性部材を設ければ、多少の破損・変形が起こっても、害虫を隙間から取り逃がすことが無く、また、破損・変形自体が起こりにくくなり、商品寿命を長くすることができ、信頼性が向上する。
【図面の簡単な説明】
【００２２】
【図１】本発明のカップ状殺虫器の使用方法を示す概略図である。
【図２】本発明のカップ状殺虫器の一形態を示す概略図である。
【図３】本発明のカップ状殺虫器の一形態を示す概略図である。
【図４】本発明のカップ状殺虫器が備えることのできる脱出防止部材の構造を示す概略図である。    （ａ）多孔板状の脱出防止部材    （ｂ）メッシュ状の脱出防止部材
【図５】本発明のカップ状殺虫器の一形態を示す概略図である。
【発明を実施するための形態】
【００２３】
以下、本発明について説明するが、本発明は以下の実施の形態に限定されるものではなく、任意に変形して実施することができる。
【００２４】
本発明のカップ状殺虫器は、害虫が存在する場所の周囲に被せることにより該害虫を捕獲空間の中に閉じ込めた状態において、薬剤を該捕獲空間の中に注入することにより該害虫を殺すものである。
【００２５】
図２に、本発明のカップ状殺虫器１の一例（比較的単純な構造）を示す。カップ状殺虫器１は、少なくとも、開口部２０を有する容器本体（カップ）２を有し、容器本体２は、薬剤注入孔２３を少なくとも有する。
図３に示すように、カップ状殺虫器１は、他に、薬剤注入部２４、接続手段２５、脱出防止部材３、弾性部材４、等を備えることができる。
【００２６】
図１に本発明のカップ状殺虫器１の使用方法を示す。
カップ状殺虫器１の使用者（以下、単に「使用者」という場合がある。）は、床や壁等Ｆに害虫Ｐを発見したら、まず、カップ状殺虫器１の容器本体２を、害虫Ｐが存在する場所の周囲に被せることで、床や壁等Ｆと容器本体２によって閉じられた（ただし、容器本体２には薬剤注入孔２３があるので、完全に閉じられているわけではない）捕獲空間Ｓの中に、害虫Ｐを閉じ込める（以下、このステップを「捕獲ステップ」という場合がある）。
次いで、使用者は、薬剤注入孔２３や薬剤注入部２４から、捕獲空間Ｓの中に、害虫Ｐを殺すことのできる薬剤を注入する（以下、このステップを「薬剤注入ステップ」という場合がある）。
害虫Ｐが死んだ（動かなくなった）ことを確認した後、使用者は、被せた容器本体２を取り外し、死んだ害虫Ｐを処分し、床や壁等を清掃（付着した薬剤の除去等）する（以下、このステップを「処分ステップ」という場合がある）。
【００２７】
薬剤注入ステップでは、薬剤を、捕獲空間Ｓの中に注入する。容器本体２には、薬剤注入孔２３が存在するので、捕獲空間Ｓは完全に閉じられた空間ではないものの、捕獲空間Ｓの内部では薬剤の有効成分の濃度が高くなり、少ない量の薬剤で効率的に害虫Ｐを殺すことができる。
また、薬剤は捕獲空間Ｓの外部には飛散しにくいので、処分ステップにおける清掃作業にかかる手間が少なくなる。
【００２８】
本発明のカップ状殺虫器で駆除する害虫の種類に特に限定はなく、ゴキブリ、ハエ、アリ、シロアリ、ゲジゲジ、ムカデ等が挙げられる。視認しやすく、床や壁等を素早く這って動くゴキブリが、本発明の適用対象として特に適している。
【００２９】
本発明のカップ状殺虫器１の容器本体２は、開口部２０を有し、捕獲空間Ｓを形成することができれば、その形状に特に限定はなく、円錐型、円筒型、半球型、角錐型、角柱型等の形状が考えられる。
容器本体２は、図２、図３、図５に示すような略円錐形状であると、操作がしやすい（容器本体の上部２２付近をつかみやすい）；容器本体２の大きさのわりに開口部２０の面積を大きく（害虫Ｐを捕獲しやすく）できる；壁等の水平ではない面に使用しても、捕獲空間Ｓから薬剤注入孔２３を通じて薬剤が垂れにくい；等の利点があるため、容器本体２の形状は、略円錐形状が好ましい。
【００３０】
捕獲ステップにおいて、害虫Ｐは逃げ回ることがあるので、開口部２０の面積が大きいと、害虫Ｐを捕獲しやすく好ましい。一方、開口部２０の面積が大きすぎると、狭い通路等において使用できない、等の問題が生じる場合がある。
このため、開口部２０の面積は、１０ｃｍ２以上３０００ｃｍ２以下が好ましく、１００ｃｍ２以上１５００ｃｍ２以下がより好ましく、５００ｃｍ２以上７００ｃｍ２以下が特に好ましい。
【００３１】
また、同様の理由から、捕獲空間Ｓの体積（薬剤注入孔２３や薬剤注入部２４等が閉じられていたと仮定した場合の体積）は、２０ｃｍ３以上１００００ｃｍ３以下が好ましく、１００ｃｍ３以上８０００ｃｍ２以下がより好ましく、４００ｃｍ３以上６０００ｃｍ３以下が特に好ましい。
【００３２】
容器本体２が、略円錐形状、略円筒形状、略半球形状等、開口部２０が円形である場合、開口部の縁２０ａの内径は、５ｃｍ以上６０ｃｍ以下が好ましく、１５ｃｍ以上４５ｃｍ以下がより好ましく、２５ｃｍ以上３０ｃｍ以下が特に好ましい。
また、容器本体２の高さは、５ｃｍ以上６０ｃｍ以下が好ましく、１５ｃｍ以上４５ｃｍ以下がより好ましく、２５ｃｍ以上３０ｃｍ以下が特に好ましい。
【００３３】
図３に示すように、容器本体の開口部の縁２０ａに、弾性部材４を備えていると、カップ状殺虫器１を被せた時に、害虫Ｐを逃がしにくくなるという利点がある。
カップ状殺虫器１は、害虫Ｐを突然発見した場合に咄嗟に使用する物品であり（丁寧に取り扱われる物品ではなく）、また、扱いやすさの点から軽い部材でできているのが好ましい。このため、使用を続けるうちに、容器本体２の形状（特に、開口部２０付近の形状）に歪みが発生するのはどうしても避けられない。歪みの発生は、床や壁等に被せた際に隙間ができ、害虫Ｐを逃がしてしまう原因となる。
【００３４】
開口部の縁２０ａに弾性部材４を備えることにより、多少の歪みが発生したとしても、床や壁等Ｆに被せた時に隙間が生じにくくなり、また、捕獲ステップを行なった際に、容器本体２に衝撃が伝わらず、歪み自体が発生しにくくなる。
とりわけ、壁等の傾斜面・垂直面や段差のある面等に害虫Ｐが現れた場合には、弾性部材４が無い場合は隙間を生じやすいが、弾性部材４があれば、このようなことが無く、害虫Ｐを逃がしにくい。
【００３５】
弾性部材４は、容器本体２の開口部２０の形状に合わせた形状（例えば、開口部２０が円形なら弾性部材４は中空円柱型、開口部２０が長方形なら弾性部材４は中空角柱型）となっていることが好ましく、その厚みは、０．５〜５ｃｍが好ましく、１〜３ｃｍがより好ましい。
弾性部材４の厚みが上記範囲であると、容器本体２に歪みが生じても、床等に被せた時に隙間が生じにくく、害虫を逃がしにくい。
【００３６】
弾性部材４の高さは、０．５ｃｍ〜５ｃｍが好ましく、０．８ｃｍ〜３ｃｍがより好ましく、１ｃｍ〜２．５ｃｍが特に好ましく、１．５ｃｍ〜２ｃｍが更に好ましい。
上記のような高さだと、容器本体２に歪みが生じても、床等に被せた時に隙間が生じにくく、害虫を逃がしにくい。
【００３７】
弾性部材４の材質には、スポンジ、ゴム等が挙げられる。容易に変形し、段差のある場所で使用しやすいため、スポンジが特に好ましい。
【００３８】
また、人によっては、動き回る害虫Ｐにできるだけ近づくことなく捕獲を行いたいと考える場合がある。図３に示すように、容器本体２に把手（図示せず）を接続するための接続手段２５を備える場合、接続手段２５に把手を接続すれば、害虫Ｐを捕獲する際に、直接容器本体２に触れることなく、捕獲を行うことができる。
接続手段２５や把手の形状に特に限定はなく、例えば、図３に示すようなネジ式の接続手段に、棒状の把手を接続するという方法が考えられる。この場合、ネジ式の接続手段のネジの外径は、２〜３ｃｍ程度であると、接続しやすく、好ましい。棒状の把手としては、長さ１５〜２５ｃｍ程度のものが取り扱いやすく好ましい。また、棒状の把手の一方を雌ネジ、もう一方を雄ネジで構成することにより、複数（例えば、２〜３個）の把手を連結でき、使用者の好みに応じた長さで使用することができる。
【００３９】
本発明のカップ状殺虫器１の容器本体２は、側面部２１に面積１０ｍｍ２以上２００ｍｍ２以下の薬剤注入孔２３を有する。
薬剤注入ステップにおいて、使用者は、薬剤注入孔２３から、害虫Ｐを殺すための薬剤を注入する。
【００４０】
薬剤の種類に特に限定はなく、市販のエアゾール剤（例えば、ア―ス製薬株式会社製「ゴキジェット」（登録商標）、大日本除蟲菊株式会社製「キンチョール」（登録商標））
等を使用することができる。
【００４１】
本発明のカップ状殺虫器１は、容器本体の側面部２１に薬剤注入孔２３を有している。薬剤注入孔２３の面積は、通常１０ｍｍ２以上２００ｍｍ２以下であり、好ましくは１５ｍｍ２以上８０ｍｍ２以下、より好ましくは２０ｍｍ２以上７０ｍｍ２以下である。
薬剤注入孔２３の面積の下限が上記以上であると、市販のエアゾール缶において使用されているロングノズルを挿入しやすく、また、薬剤噴霧口が缶の中心軸から突き出したタイプのエアゾール缶から直接薬剤を噴霧する場合に、捕獲空間Ｓの内部に効率良く薬剤を注入することができる。薬剤注入孔２３の面積の上限が上記以下であると、害虫Ｐが脱出しにくい。
【００４２】
エアゾール缶は、倒立等させて（傾けて）使用すると、中の薬剤の噴霧に支障を生ずる場合があるが、本発明のカップ状殺虫器１は、薬剤注入孔２３が容器本体２の側面部２１に存在するため、エアゾール缶を傾けなくても横方向から薬剤を注入できる。また、容器本体２の側面部２１から薬剤を注入する場合、捕獲空間Ｓの内部に、十分に薬剤の有効成分を飛散させることが可能となり、少ない量の薬剤でも害虫Ｐを迅速に殺すことができる。特に、容器本体２の形状が略円錐形状である場合に、側面部２１から薬剤を注入すると、薬剤の量を少なくできるという効果がより顕著になる。
【００４３】
また、本発明のカップ状殺虫器１は、図２、図３、図５に示すように、容器本体の側面部２１に、面積１０ｍｍ２以上２００ｍｍ２以下の薬剤注入孔２３を複数有することが好ましい。
多くの場合、害虫Ｐは予期せず突然出現する。使用者は害虫Ｐを発見した場合、一刻も早く害虫Ｐを殺したい（捕獲ステップの後、すぐに薬剤注入ステップに移りたい）と考えるのが通常である。複数の薬剤注入孔があれば、注入しやすい薬剤注入孔から薬剤を注入することができる。
特に、壁際等に害虫Ｐが出現した場合、薬剤注入孔が１つだと、カップ状容器の向きを調整しなければならない場合があり、向きを調整する際に害虫を取り逃がしてしまう可能性がある。また、一刻も早く害虫Ｐを殺すためには、そのような調整をする余裕がない場合が多い。
複数の薬剤注入孔を設けることにより、向きを特に考えずに焦ってカップ状容器を被せても、薬剤を注入しやすい薬剤注入孔を使用することができ、上記のような問題に対応できる。
【００４４】
容器本体の側面部２１に、薬剤注入孔２３を複数設ける場合、その数は、３以上２０以下が好ましく、４以上１５以下がより好ましく、５以上１０以下が特に好ましい。
薬剤注入孔２３の数が少なすぎると、カップ状容器１の向きの調整が必要になる場合があり、薬剤注入孔２３の数が多すぎると、薬剤が捕獲空間Ｓの外部に飛散しやすくなる。
【００４５】
容器本体２は、図３に示すように、薬剤注入孔２３とは別に、更に、封止可能な薬剤注入部２４を有しているのが好ましい。
【００４６】
薬剤注入部２４は、薬剤注入孔２３から薬剤を注入するのが困難な場合に、薬剤を注入するために使用される。
例えば、薬剤噴霧口が缶の中心軸付近に存在するエアゾール缶の場合、面積の小さな薬剤注入孔２３から薬剤を注入しようとした場合、捕獲空間Ｓの中にのみ薬剤を飛散するのは難しい。このようなエアゾール缶であっても、ロングノズルが取り付け可能であれば、面積の小さな薬剤注入孔２３から注入することができるが、エアゾール剤は、ロングノズルを外してコンパクトな形で保管されることが多く、一刻も早く害虫Ｐを殺すために、ロングノズルの取り付け作業をしている余裕がない場合が多い。薬剤注入孔２３とは別に、薬剤注入部２４が容器本体２に設けられていると、かかるエアゾール缶でも、薬剤注入部２４から、迅速に薬剤の注入を行うことができる。
【００４７】
薬剤注入部２４の面積（先端部の面積）は、１５０ｍｍ２以上１０００ｍｍ２以下が好ましく、２００ｍｍ２以上７００ｍｍ２以下がより好ましく、２５０ｍｍ２以上５００ｍｍ２以下が特に好ましい。
薬剤注入部２４の面積（先端部の面積）は、薬剤注入孔２３の面積よりも大きいので、薬剤噴霧口が缶の中心軸付近に存在するエアゾール缶の場合でも、倒立させることなく薬剤を噴射することができる。
【００４８】
容器本体２が薬剤注入孔２３と薬剤注入部２４の両方を有することにより、どんなタイプのエアゾール缶であっても、迅速に薬剤注入ステップを行なうことができるため、気に入ったタイプの買い置きのエアゾール缶を使用することができる。
【００４９】
薬剤注入部２４の面積（先端部の面積）は大きいので、捕獲空間Ｓの外部への薬剤の飛散防止のため、また、害虫Ｐの脱出防止のため、薬剤注入部２４は封止部材２４ａにより封止可能な構造となっている。
封止の方法に特に限定はないが、一例として、図３に示すような、ネジ式キャップによる封止が挙げられ、簡便に封止できるため、好ましい。
【００５０】
薬剤噴霧口が缶の中心軸付近に存在するエアゾール缶しか手元にない場合（薬剤注入部２４を使用する必要がある場合）は、突然害虫Ｐを発見した際に、迅速に薬剤注入ステップを行なえるよう、非使用時には、薬剤注入部２４は封止していない方がよい。ネジ式キャップ等の、容器本体とは独立した封止部材２４ａを使用した封止方法の場合、封止部材２４ａを紛失すると、封止ができなくなる可能性があるため、封止部材２４ａは、固定具等により容器本体２と接続しておくのが好ましい（図示せず）。
【００５１】
一方、薬剤噴霧口が缶の中心軸から突き出したタイプのエアゾール缶が手元にある場合は、あえて薬剤注入部２４から薬剤を注入する必要は無いので、薬剤注入部２４は常に封止しておいて、薬剤注入孔２３を使用して薬剤を注入した方がよい。
【００５２】
また、薬剤注入部２４に、図４（ａ）に示すような多孔板状の脱出防止部材３、又は、図４（ｂ）に示すようなメッシュ状の脱出防止部材３が備えられていると、害虫Ｐの脱出防止効果を更に高めることができる。
【００５３】
多孔板状の脱出防止部材３の孔３ａの数は、３〜２０が好ましく、４〜１５がより好ましく、５〜１０が最も好ましい。
孔３ａの形状に特に限定はなく、円形、四角形、三角形、六角形等が挙げられる。
【００５４】
メッシュ状の脱出防止部材３のメッシュ３ｂの形状に特に限定はなく、三角形、長方形、菱形、六角形等が挙げられる。
【００５５】
脱出防止部材３の開口率（孔３ａ又はメッシュ３ｂの占める面積の割合）は、３０〜９５％が好ましく、４０〜９０％がより好ましく、５０〜８５％が特に好ましい。
開口率の下限が上記以上であると、害虫Ｐの脱出を十分に防止できる。開口率の上限が上記以下であると、捕獲空間Ｓ内部への薬剤の飛散を妨げにくい。
【００５６】
脱出防止部材３の材質に特に限定はなく、薬剤により腐食しにくい素材を適宜使用することができる。
【００５７】
脱出防止部材３は、容器本体２と一体になっていてもよいし、容器本体２から取り外し可能であってもよい。
紛失防止のため、容器本体２と一体になっているのが好ましい。
【００５８】
また、多孔板状の脱出防止部材とメッシュ状の脱出防止部材を重ねて使用してもよい。例えば、多孔板状の脱出防止部材を容器本体２と一体化し、多孔板状の脱出防止部材の上に取り外し可能なメッシュ状の脱出防止部材を設置してもよい。
【００５９】
薬剤注入部２４の位置に特に限定はなく、図３に示すように容器本体の上部２２にあってもよいし、側面部２１にあってもよい。側面部２１には、薬剤注入孔２３があるため、配置のバランスから、上部２２に薬剤注入部２４があるのが好ましい。
薬剤注入部２４の数は１つであっても２つ以上であってもよい。
【００６０】
本発明のカップ状殺虫器１の容器本体２は、少なくとも一部が透明な素材で構成されていることにより、捕獲空間Ｓの中の害虫Ｐの様子が外部から観察可能となっているのが好ましい。
このようになっていることにより、薬剤注入ステップの後、害虫が死んだ（動かなくなった）ことを外部から確認することが可能となり、すぐに処分ステップに移ることができる。生きた状態でなくとも害虫を不快であると感じ、死んだ害虫を一刻も早く処分してしまいたいと思う人は多く、本発明のカップ状殺虫器１は、このような要求に応えるものである。
また、薬剤注入ステップで注入した薬剤の量が少なく、捕獲した害虫が死んでいなかった場合、害虫の様子を見ようとしてカップ状殺虫器を取り外した際に、害虫を逃がしてしまう可能性があるが、本発明のカップ状殺虫器１では、害虫が死んでいない（動いている）場合、薬剤を追加注入すればよいので、そのような心配が無い。
【００６１】
ただし、人によっては、捕獲空間Ｓの中で害虫Ｐが死ぬまでの間に動き回る様子を不快と感じる場合があり、また、捕獲空間Ｓの中に閉じ込められた害虫Ｐはいずれ死ぬのだから駆除に迅速性を追求しない場合もある。このため、容器本体２には、透明な素材で構成されている部分が存在せず、害虫Ｐの様子を外部から観察できなくてもよく、むしろその方が好ましい場合もある。
【００６２】
容器本体２の少なくとも一部を透明な素材で構成する場合、その目的は、害虫が死んだ（動かなくなった）ことを外部から確認するためであり、この目的を達することができれば、「透明」とは、どの程度の透過率であってもよく、また、無色透明であっても、有色透明であってもよい。
人によっては、捕獲空間Ｓの中で害虫Ｐが死ぬまでの間に動き回る様子を不快と感じ、このような様子をできる限り見たくない場合がある。このため、容器本体２の全部又は一部は、有色透明である方が好ましい。すなわち、捕獲空間Ｓの内部は、適度に見えにくい方がむしろ好ましい。
【００６３】
容器本体２は、全体が透明な素材で構成されていてもよいし、一部のみが透明な素材で構成されていてもよい。
例えば、図５に示すように、側面部２１の下方部分が不透明部分２６であり、上部２２から側面部２１の上方部分にかけての部分が透明部分２７である場合、カップ状殺虫器１の横からは害虫Ｐの様子は見えず、上からは害虫Ｐの様子を観察できる。このため、使用者は、必要以上に害虫Ｐが動き回る様子を見ずに済む上に、容器の上からは害虫Ｐが死んだ（動かなくなった）ことを確認することができる。
【００６４】
また、必要以上に害虫Ｐを見ないために、容器本体２は、不透明又は透過率の低い被覆部材で被覆されていてもよい。
捕獲ステップや薬剤注入ステップにおいては、捕獲空間Ｓの中の害虫Ｐの様子を外部から観察する必要は全くない。処分ステップに移るか否かの判断をする際にのみ、容器本体２の一部が透明である（外部から捕獲空間Ｓの中の害虫Ｐの様子を観察することができる）という本発明の効果が発揮される。
容器本体２を、不透明又は透過率の低い被覆部材で被覆しておき、薬剤注入ステップの後、しばらく経過してから被覆部材を取り外すようにすれば、必要のある時だけ害虫Ｐを見ることができ、必要ない時は、見なくて済むようになるので、そのようにするのが好ましい。
【００６５】
被覆部材の素材・形状等に特に限定はなく、プラスチック、紙、布等が挙げられる。被覆部材は使用者が容易に着脱することができる部材であることが好ましい。
例えば、粘着層を備えたプラスチックや紙のシールのように、使用の度に廃棄し、新たな部材を取り付けることにより、交換可能で安価な部材や、線ファスナーを備えた布のように、繰り返し使用が可能な部材であることが特に好ましい。
【００６６】
特に、容器本体２の形状が略円錐形状である場合、被覆部材をスカート形状のシート状部材とすることにより、粘着層を備えていなくても、容易に上から着脱可能となり、繰り返し使用も可能となる。
【００６７】
容器本体２のうち、被覆部材で覆われるのは、全部であっても一部であってもよい。
例えば、図５に示すように、容器本体２の一部のみを透明に（外部から見えるように）する場合、不透明部分２６と透明部分２７とを別々の素材で構成するよりも、容器本体２の全体を透明な素材で形成し、容器本体２の一部を被覆部材で覆うことによって不透明部分２６を形成する方が、容器本体２の作製（成型）が簡単になり好ましい。
【００６８】
また、容器本体２の材質については、害虫Ｐを閉じ込めておく程度の強度を持っていれば特に限定はなく、破損しにくさ、扱いやすさ（軽さ）等を考慮して、適宜選択することができる。
例えば、ポリエチレン、ポリプロピレン、ポリエチレンテレフタレート、ポリカーボネート、アクリル樹脂、塩化ビニル樹脂等が挙げられる。
【００６９】
容器本体２を構成する部材の厚さは、０．１ｍｍ〜２ｍｍが好ましく、０．１５ｍｍ〜１ｍｍがより好ましく、０．２ｍｍ〜０．５ｍｍが特に好ましい。
厚さの下限が上記以上であると、十分な強度を有し、破損等に強くなる。厚さの上限が上記以下であると、加工が容易となり、また、軽く取り扱いやすくなる。
【産業上の利用可能性】
【００７０】
本発明のカップ状殺虫器は、害虫の捕獲がしやすく、少量の薬剤で害虫を殺すことができ、害虫の駆除を容易に行うことができるため、一般家庭等の家屋におけるゴキブリ等の駆除に広く利用されるものである。
【符号の説明】
【００７１】
１    カップ状殺虫器
２    容器本体
２０    開口部
２０ａ  開口部の縁
２１    側面部
２２    上部
２３    薬剤注入孔
２４    薬剤注入部
２４ａ  封止部材
２５    接続手段
２６    不透明部分
２７    透明部分
３    脱出防止部材
３ａ  孔
３ｂ  メッシュ
４    弾性部材
Ｆ    床・壁等
Ｓ    捕獲空間
Ｐ    害虫
【図１】
2017023034.tif 000003
【図２】
2017023034.tif 000004
【図３】
2017023034.tif 000005
【図４】
2017023034.tif 000006
【図５】
2017023034.tif 000007